(57)【要約】【課題】スプールの回転に制動力を付与する制動時に、スプール軸上の高速用ピニオン歯車とハンドル軸側の駆動歯車との噛み合い状態を良好に維持することができる魚釣用リールの提供を目的としている。【解決手段】本発明の魚釣用リールにおいて、低速用ピニオン歯車２２には、スプール軸４の軸方向移動に伴って移動する高速用ピニオン歯車２０の一側部を収容するための大径孔２２ｃが設けられ、この大径孔２２ｃには、スプール軸４の軸方向移動に対して抵抗力を付与するバネ部材２９が収容されている。【選択図】    図１
2004159523.tif 000002
【特許請求の範囲】
【請求項１】
リール本体の側板間に設けられたスプール軸に対してスプールを回転自在に支持するとともに、前記スプールの回転速度を変速させるための低速用ピニオン歯車と高速用ピニオン歯車とを前記スプール軸上に並設し、前記スプール軸を軸方向に移動させることにより、前記スプールと一体回転する制動体を押圧して、前記スプールの回転に制動力を付与する魚釣用リールにおいて、
前記低速用ピニオン歯車には、前記スプール軸の前記軸方向移動に伴って移動する前記高速用ピニオン歯車の一側部を収容するための収容部が設けられ、この収容部には、前記スプール軸の前記軸方向移動に対して抵抗力を付与するバネ部材が収容されていることを特徴とする魚釣用リール。
【発明の詳細な説明】
【０００１】
【発明の属する技術分野】
本発明は魚釣用リールに関する。
【０００２】
【従来の技術】
リール本体の左右側板間に回転自在に支持されたスプールに制動力を付与する制動装置（ドラグ装置）と、前記スプールの巻き取り回転速度を高速および低速に切換える変速装置とを備えた魚釣用リールは、従来から知られている（例えば、特許文献１参照）。
【０００３】
具体的に、前記変速装置は、スプールを回転自在に支持するスプール軸上に設けられた高速用ピニオン歯車と低速用ピニオン歯車とを備えており、これらのピニオン歯車は、ハンドル軸上に設けられた高速用駆動歯車および低速用駆動歯車とそれぞれ噛み合っている。また、前記制動装置は、リール本体の一側に回動可能に設けられた調節レバーの操作により、スプールを軸方向に押圧してスプールの回転に制動力を付与するものであり、前記調節レバーの操作量に応じて制動力（ドラグ力）を調節することができる。
【０００４】
【特許文献１】
実開平５−７６２７５号公報（第１図および第２図）
【０００５】
【発明が解決しようとする課題】
ところで、前記変速装置と前記制動装置とを備えた特許文献１に開示される魚釣用リールでは、前記変速装置と前記制動装置とが機構的に関連している。すなわち、スプール軸上には、スプールをスプール軸に対して回転可能に支持する第１の軸受と、前記高速用ピニオン歯車と、前記低速用ピニオン歯車と、リール本体に対してスプール軸を回転可能に支持する第２の軸受とが軸方向に並設されており、前記制動装置の前記調節レバーを回動操作すると、前記第２の軸受と前記高速用ピニオン歯車とがスプール側に移動し、これによって、スプールが軸方向に押圧されるとともに、前記低速用ピニオン歯車と前記第１の軸受との間に設けられた皿バネが撓んで、前記低速用ピニオン歯車がスプール側に変位する。
【０００６】
しかしながら、このように制動装置の作動に伴って低速用ピニオン歯車がスプール側に変位すると、皿バネの撓み量分だけ、低速用ピニオン歯車とハンドル軸上の前記低速用駆動歯車との噛み合い状態が少なくなってしまう。そのため、歯面の耐久性が悪くなり、使用経過に伴って回転性能が劣化するという問題が生じる。大物釣りの低速巻き取り時においては、特に動力伝達用の歯車に高負荷が掛かるため、低速用ピニオン歯車と低速用駆動歯車との噛み合い状態が悪いと、歯面に変形や破損等の不具合が生じ易い。
【０００７】
本発明は前記事情に着目してなされたものであり、その目的とするところは、スプールの回転に制動力を付与する制動時に、スプール軸上の高速用ピニオン歯車とハンドル軸側の駆動歯車との噛み合い状態を良好に維持することができる魚釣用リールを提供することにある。
【０００８】
【課題を解決するための手段】
前記課題を解決するために、本発明は、リール本体の側板間に設けられたスプール軸に対してスプールを回転自在に支持するとともに、前記スプールの回転速度を変速させるための低速用ピニオン歯車と高速用ピニオン歯車とを前記スプール軸上に並設し、前記スプール軸を軸方向に移動させることにより、前記スプールと一体回転する制動体を押圧して、前記スプールの回転に制動力を付与する魚釣用リールにおいて、前記低速用ピニオン歯車には、前記スプール軸の前記軸方向移動に伴って移動する前記高速用ピニオン歯車の一側部を収容するための収容部が設けられ、この収容部には、前記スプール軸の前記軸方向移動に対して抵抗力を付与するバネ部材が収容されていることを特徴とする。
【０００９】
【発明の実施の形態】
以下、図面を参照しつつ本発明の一実施形態について説明する。
【００１０】
図１には、本発明の一実施形態に係る魚釣用リール（両軸受型リール）１が示されている。このリール１は、釣糸が巻回されるスプール２と、スプール２を釣糸巻取り方向に回転させるためのハンドル５０とを有しており、スプール２は、軸受４Ａ，４Ｂを介して、断面形状が円形のスプール軸４に回転可能に支持されている。また、スプール軸４は、軸受６，８を介してリール本体１ａ側に回転可能に支持されるとともに、その軸方向に沿ってスライド（変位）できる。具体的には、リール本体１ａは、これに締結された左右の側板１０Ａ，１０Ｂを有しており、スプール軸４の一端側（図中、左側・・・反ハンドル側）は、左側板１０Ａに設けられた軸受６に支持されるとともに、スプール軸４の他端側（図中、右側・・・ハンドル側）は、右側板１０Ｂに設けられた軸受８に支持されている。なお、軸受４Ａ，４Ｂ間には、スプール軸４が貫通するカラー３９が介挿されている。
【００１１】
図２にも拡大して示されるように、スプール軸４の他端側には、小径の高速ピニオンギア（高速用ピニオン歯車）２０が形成されているとともに、大径の低速ピニオンギア（低速用ピニオン歯車）２２がスプール軸４の外周に回り止め装着されている。この場合、高速ピニオンギア２０は、スプール軸４の軸方向変位に伴って後述する高速ギア８５との噛み合い量が変化しない十分な軸方向長さを有している。また、低速ピニオンギア２２は段付きの孔を有しており、この段付きの孔は、高速ピニオンギア２０と隣接する低速ピニオンギア２２の一端面から軸方向に所定の長さだけ延びる円形の大径孔（収容部）２２ｃと、軸受４Ｂと隣接する低速ピニオンギア２２の他端面から延びて大径孔２２ｃに連通する円形の小径孔２２ａとから成る。また、低速ピニオンギア２２は、係止溝２２ｂを有する小径孔２２ａを介してスプール軸４の円形断面部位の外周に嵌合されるとともに、係止溝２２ｂに嵌合されるピン４０を介してスプール軸４に対する回転が防止されている。この場合、ピン４０は、スプール軸４をその軸方向に対して直交する方向に貫通して径方向外側に突出しており、その突出部は、低速ピニオンギア２２の小径孔２２ａから径方向外側に延びる係止溝（スリット）２２ｂに係止している。したがって、低速ピニオンギア２２はスプール軸４と一体で回転することができる。
【００１２】
また、低速ピニオンギア２２の大径孔２２ｃは、スプール軸４の軸方向変位に伴って移動する高速ピニオンギア２０の一側部をその内部に収容することができる内径に設定されている。また、低速ピニオンギア２２の大径孔２２ｃ内には、スプール軸４の外周に装着された複数の皿バネ２９が収容されている。この場合、皿バネ２９は、低速ピニオンギア２２の大径孔２２ｃの段部２２ｄと高速ピニオンギア２０の端面との間に介挿されており、後述するドラグレバー６１の回動操作に抵抗をもたせて制動力の調整範囲を付与すべく、スプール軸４の漸進的な軸方向変位を可能にする。
【００１３】
スプール軸４の一端側には、スプール２と摩擦係合しつつスプール２を軸方向で押圧する押圧部３０が取り付けられている。この押圧部３０は、スプール２に一体的に取り付けられた環状のドラグワッシャ（制動体）２Ａの両側に位置する一対のドラグ押圧部材３１Ａ，３１Ｂを有している。これらのドラグ押圧部材３１Ａ，３１Ｂは、環状を成しており、スプール軸４に回り止め嵌合されるとともに、そのライニング材３１ａ，３１ｂを介してドラグワッシャ２Ａの両側からドラグワッシャ２Ａの側面に摩擦接触（圧接）することができる。
【００１４】
スプール軸４の一端部（一側部）は、その断面形状が非円形を成す非円形部４４として形成されている。また、ドラグ押圧部材３１Ａ，３１Ｂは、スプール軸４の非円形部４４と同形の開口部（内孔）３１Ａａ，３１Ｂａを有している。そして、スプール軸４の非円形部４４を、ドラグ押圧部材３１Ａ，３１Ｂの開口部３１Ａａ，３１Ｂａに嵌合させることにより、ドラグ押圧部材３１Ａ，３１Ｂがスプール軸４に対して回り止めされている。
【００１５】
また、ドラグ押圧部材３１Ａ，３１Ｂ間には、これらをドラグワッシャ２Ａから離間させる方向に付勢する圧縮バネ３６が介挿されている。なお、この圧縮バネ３６によって、第１のドラグ押圧部材３１Ａは軸受４Ａ側に、そして、第２のドラグ押圧部材３１Ｂは軸受６側に向けてそれぞれ付勢（ドラグワッシャ２Ａよりライニング材３１ａ，３１ｂが離間する方向）されている。
【００１６】
ハンドル５０が位置するスプール軸４の他端側には、スプール軸４を軸方向に移動させてスプール４の釣糸繰り出し方向の回転に制動力を付与するドラグ機構（制動装置）６０が設けられている。このドラグ機構６０は、右側板１０Ｂに回転可能に装着され且つカム機構６２を作動させるドラグレバー（操作部材）６１を有している。カム機構６２は、公知のように、ドラグレバー６１と一体で回転するカム部と、スプール軸４と結合し且つ前記カム部の回転に伴って軸方向にスライドするスライド部とから成り、ドラグレバー６１の回転に伴って前記カム部が回転すると、前記スライド部が軸方向にスライドして、スプール軸４を反ハンドル側に向けて軸方向に移動させることができる。
【００１７】
また、右側板１０Ｂには、ハンドル５０によって回転される筒状のハンドル軸８４が回転可能に支持されている。この場合、ハンドル軸８４は、右側板１０Ｂに取付け固定された支持筒８２内に回転可能且つ進退可能に挿通されている。ハンドル軸８４の先端部は、リール本体１ａ内に配設された軸受によって支持されている。また、右側板１０Ｂの内側延在部には、その外歯が低速ピニオンギア２２に噛み合い且つ低速ピニオンギア２２と略同じ（あるいは、若干大きい）幅寸法を有する低速ギア８６と、その外歯が高速ピニオンギア２０に噛み合う高速ギア８５とが回転可能に支持されている。この場合、これらのギア８５，８６の中央を貫通するようにハンドル軸８４の先端部が延びている。
【００１８】
また、ハンドル軸８４の先端部には、歯車８７が形成されている。この歯車８７は、ハンドル軸８４が軸方向に進退することにより、高速ギア８５の内歯と噛み合う第１の位置（図１の位置）と、低速ギア８６の内歯と噛み合う第２の位置との間で移動できる。また、ハンドル軸８４には、歯車８７を第１の位置と第２の位置とに位置決めするための位置決め機構が設けられている。この位置決め機構は、ハンドル軸８４に設けられ且つハンドル軸８４の外周面に形成された開口を通じて突没自在なボール８１と、支持筒８２の内周面に形成され且つボール８１と係合する一対の係合溝８２ａ，８２ｂと、ハンドル軸８４内に進退可能に挿通され且つボール８１の突没動作を制御するプッシュロッド８０とを有している。この場合、一対の係合溝８２ａ，８２ｂは、ハンドル軸８４の長手方向に互いに所定距離（具体的は前記第１の位置と第２の位置との間の距離に略等しい）だけ離間して位置されている。また、プッシュロッド８０は、ボール８１と接触してボール８１をハンドル軸８４の外周面から所定量突出させることができる外径に設定された大径部８０ａと、ロッド８０の手元側に形成され且つボール８１をハンドル軸８４内に完全に没入させることができる外径に設定された小径部８０ｂと、大径部８０ａと小径部８０ｂとの間に形成され且つボール８１を大径部８０ａと小径部８０ｂとの間で案内するテーパ部８０ｃとを有している。また、ハンドル軸８４内には、圧縮スプリング８３が設けられている。この圧縮スプリング８３は、ハンドル軸８４とプッシュロッド８０との間に介挿され、ボール８１とプッシュロッド８０の大径部８０ａとが接触する方向にプッシュロッド８０を常時付勢している。この場合、プッシュロッド８０は、圧縮スプリング８３の付勢力により、ハンドル軸８４の手元側開口を塞ぐよう設けられた蓋体８９に当接される。なお、プッシュロッド８０の端部には操作ノブ８０ｄが形成されている。
【００１９】
次に、上記構成の魚釣用リール１の動作について説明する。
【００２０】
まず、ハンドル５０を釣糸巻取り方向に回転すると、ハンドル軸８４が回転し、ハンドル軸８４の歯車８７と噛み合う高速ギア８５または低速ギア８６が回転する。なお、図１の状態では、歯車８７が高速ギア８５と噛み合っているため、高速ギア８５が回転する。高速ギア８５が回転すると、高速ギア８５と噛み合う高速ピニオンギア２０を介してスプール軸４が高速回転する。
【００２１】
ここで、スプール軸４を低速で回転させたい場合には、まず、圧縮スプリング８３の付勢力に抗してプッシュロッド８０を押し込む。プッシュロッド８０を押し込むと、ボール８１と対向接触するプッシュロッド８０の部位が、大径部８０ａから小径部８０ｂへと移行するため、ボール８１は、大径部８０ａと接触して第１の係合溝８２ｂと係合する図１の状態からテーパ部８０ｃの案内によって小径部８０ｂと接触する状態となり、それに伴って、ハンドル軸８４内に没する。そのため、ハンドル軸８４を支持筒８２内に押し込むことが可能になる。その後、この状態のまま、ハンドル軸８４の全体を支持筒８２内にスライドさせながら、プッシュロッド８０への押圧力を解除すると、ボール８１は、第２の係合溝８２ａと対向した時点で、圧縮スプリング８３の付勢力に伴ってプッシュロッド８０の大径部８０ａにより押し出され（突出され）、第２の係合溝８２ａと係合する。この時、ハンドル軸８４の歯車８７は、ハンドル軸８４のスライドに伴って先端側に移動され（第１の位置から第２の位置へと移動され）、低速ギア８６の内歯と噛み合う。したがって、この状態でハンドル５０を釣糸巻取り方向に回転すると、ハンドル軸８４が回転するとともに、ハンドル軸８４の歯車８７と噛み合う低速ギア８６が回転し、低速ギア８６と噛み合う低速ピニオンギア２２を介してスプール軸４が低速回転する。
【００２２】
また、このようにして、スプール軸４が回転すると、スプール軸４に回り止め嵌合されたドラグ押圧部材３１Ａ，３１Ｂも回転する。この時、ドラグレバー６１が図１に示される状態で位置している場合には、スプール軸４はその基本位置から軸方向に移動されないため、両方のドラグ押圧部材３１Ａ，３１Ｂとドラグワッシャ２Ａとの間には、圧縮バネ３６の作用により、一定のクリアランスが形成される。したがって、スプール２はフリーで回転でき、スプール２に巻回された釣糸を、何らの抵抗を与えることなく、自由に繰り出すことができる。
【００２３】
また、図１の状態から、ドラグレバー６１を所定方向に回動させると、カム機構６２および軸受８を介してスプール軸４が軸方向（図１の左側…反ハンドル側）に移動される。スプール軸４が反ハンドル側に向けて軸方向に移動されると、スプール軸４と一体の高速ピニオンギア２０もスプール２側に移動し、高速ピニオンギア２０の一側部が皿バネ２９の付勢力に抗して低速ピニオンギア２２の大径孔２２ｃ内に入り込む。この場合、高速ピニオンギア２０の一側部は、皿バネ２９の撓み量分だけ低速ピニオンギア２２の大径孔２２ｃ内に入り込む。また、この時、低速ピニオンギア２２の大径孔２２ｃは、その内部に高速ピニオンギア２０の一側部を逃がすことにより、皿バネ２９の撓み量分だけ低速ピニオンギア２２がスプール２側に変位することを防止して、低速ピニオンギア２２と低速ギア８６との良好な噛み合量（噛合状態）を保持する。
【００２４】
また、以上のようにして、スプール軸４が反ハンドル側に向けて軸方向に移動されると、第１のドラグ押圧部材３１Ａも、高速ピニオンギア２０、皿バネ２９、低速ピニオンギア２２、軸受４Ｂ、カラー３９、軸受４Ａ等を介して押し出される形で、圧縮バネ３６の付勢力に抗して軸方向に移動してドラグワッシャ２Ａの一方側の側面を押圧した後、軸方向移動しない第２のドラグ押圧部材３１Ｂのライニング材３１ｂとライニング材３１ａとの間でドラグワッシャ２Ａを挟着する。このように、第１のドラグ押圧部材３１Ａのライニング材３１ａがドラグワッシャ２Ａの一側面を押圧し、ドラグワッシャ２Ａの他側面が第２のドラグ押圧部材３１Ｂのライニング材３１ｂに接触した状態（ドラグワッシャ２Ａをライニング材３１ａ，３１ｂで挟着）では、スプール２が、ドラグ押圧部材３１Ａ，３１Ｂとの摩擦接触に伴う初期のドラグ力発生により、スプール軸４とともに回転するようになる。なお、この時、掛かった魚が暴れるなどして前記ドラグ力を超える所定の張力が釣糸に作用すると、スプール２は、釣糸繰り出し方向に容易に回転することができる。
【００２５】
なお、以上の状態から、ドラグレバー６１を更に回動させて、スプール軸４を更に軸方向に移動させると、低速ピニオンギア２２の大径孔２２ｃ内に収容されている皿バネ２９が高速ピニオンギア２０により更に圧縮されて、皿バネ２９の圧縮バネ力に伴い、ドラグワッシャ２Ａの２つのドラグ押圧部材３１Ａ，３１Ｂ間での挟圧力が更に増す。この状態では、スプール２に作用するドラグ力が更に増大し、スプール２は、スプール軸４と完全に摩擦結合され、滑ることなくスプール軸４と一体で回転するようになる。すなわち、スプール４は、釣糸繰り出し方向に容易に回転できなくなり、強負荷状態での巻き取り操作が可能となる。
【００２６】
以上説明したように、本実施形態の魚釣用リール１では、スプール軸４の軸方向移動に伴って移動する高速ピニオンギア２０の一側部を収容するための大径孔（収容部）２２ｃが低速ピニオンギア２２に設けられ、この大径孔２２ｃには、スプール軸４の軸方向移動に対して抵抗力を付与するバネ部材２９が収容されている。すなわち、低速ピニオンギア２２の内側に皿バネ２９を収容するとともに、操作部材６１の回動操作時に高速ピニオンギア２０の一側部を低速ピニオンギア２２内に嵌入可能としたものである。
【００２７】
したがって、ドラグワッシャ２Ａにドラグ押圧部材３１Ａ，３１Ｂのライニング材３１ａ，３１ｂを接触させた状態（ドラグ力小）後、ドラグレバー６１の回動操作により、皿バネ２９を圧縮変形させ、スプール軸４を軸方向に移動して更にドラグ力を増大する操作をしても、高速ピニオンギア２０の一側部が皿バネ２９の付勢力に抗して低速ピニオンギア２２の大径孔２２ｃ内に入り込む（高速ピニオンギア２０の一側部が皿バネ２９の撓み量分だけ低速ピニオンギア２２の大径孔２２ｃ内に入り込む）ため、ドラグ力をスプール２に付与すべくドラグ操作時においてスプール軸４の軸方向変位に伴って低速ピニオンギア２２がスプール２側に変位すること（皿バネ２９の撓み量分だけ低速ピニオンギア２２がスプール２側に変位すること）が防止され、低速ピニオンギア２２と低速ギア８６との良好な噛み合量（噛合状態）を保持することができる。そのため、歯面の耐久性が良好となり、良好な回転性能を維持できる。これは、特に動力伝達用の歯車に高負荷が掛かる大物釣りの低速巻き取り時において、歯面の変形や破損等を防止できるという点で、非常に有益である。
【００２８】
【発明の効果】
以上説明したように、本発明の魚釣用リールによれば、スプールの回転に制動力を付与する制動時に、スプール軸上の高速用ピニオン歯車とハンドル軸側の駆動歯車との噛み合い状態を良好に維持することができる。
【図面の簡単な説明】
【図１】本発明の一実施形態に係る魚釣用リールの断面図である。
【図２】図１の魚釣用リールの要部拡大断面図である。
【符号の説明】
１…魚釣用両軸受型リール
１ａ…リール本体
２…スプール
４…スプール軸
２０…高速ピニオンギア（高速用ピニオン歯車）
２２…低速ピニオンギア（低速用ピニオン歯車）
２２ｃ…逃がし孔
２９…皿バネ（バネ部材）
【図１】
2004159523.tif 000003
【図２】
2004159523.tif 000004